(57)【要約】      （修正有）【課題】テレビ用ブラウン管一体ガラスを再利用しガラス内面のＩＴＯ膜、レオメタル類を再生し、多接合、２重積層体に応用し安全かつ耐久性に優れた色素増感太陽電池セル枠を提供する。【解決手段】テレビ用ブラウン管一体前面ガラス枠を、再利用しブラウン管内面にスパッタしてあるＩＴＯ膜を再生し色素増感太陽電池を構成する、第１の光学補償セル層と第２の光学積層セル体を重ね組み合わせて形成でき、またセル内の電界層周囲をガラス４面体で形成でき、電界液を閉じ込む、封印でき、耐久性に優れ、低コストで効率を向上させる基礎技術を用いた、色素増感太陽電池用外観一体セル枠を得る。【選択図】図４
0003173779.tif 000002
【実用新案登録請求の範囲】
【請求項１】
ブラウン管用一体前面ガラスを再利用し内面の透明電極とスパッタリングＩＴＯ膜をスプレー塗布により再生できる光学積層体を構成する第一の光学補助層と第二の光学積層体を重ねる多重積層体からなり、多接合は分光特性の異なる太陽電池を複数重ねたことを特徴とする色素増感太陽電池用セル枠。
【請求項２】
前記ブラウン管用一体前面ガラスの内面のＩＴＯ膜の抵抗は５００オーム以下で、ＩＴＯ膜とＦＴＯ膜のシート抵抗値が５オーム以下であり、ＩＴＯ膜表面にフッ素ドーブ酸化スズを噴霧熱分解法により形成するＦＴＯ膜とＩＴＯ膜の順で、交合に透明電極を配置したことを特徴とする色素増感太陽電池用セル枠。
【請求項３】
ブラウン管用一体前面ガラス内に重ねる第一セル層と第二セル層の電界液層をガラス４面で形成して電界液を封印し電解液の開閉口を設けたことを特徴とする色素増感太陽電池用セル枠。
【考案の詳細な説明】
【技術分野】
【０００１】
本考案は（色素増感太陽電池としては、グレッツェル教授らが提案したものがしられている）ブラウン管一体前面ガラスの再利用し透明電極、透光性部材を多接合、多重光学積層体に使用し、基礎技術（本多、藤嶋効果、最新光触媒）製造工程技術を用いて、色素増感太陽電池用セル枠再生方法に関するものである。
【背景技術】
【０００２】
従来、太陽電池としては様々な材量のものが検討されているが、シリコンを用いた、太陽電池がある、しかしながら結晶シリコン系太陽電池は性能は高いものの結晶の成長に多くのエネルギーと時間とを要するため、生産性、コスト面で不利であつた。                                                        
【０００３】
またアモルファスシリコン系は、一般的なシリコンより高効率で、光吸収性が高く、大面積化が容易であるが、結晶シリコンと同様に製造、設備面で負担は大きい。
【０００４】
太陽電池には、透明で電気を通す幕が必ず必要です、ズズをドーブした酸化インジウム（ＩＴＯ），アルミなどをドーブした酸化亜鉛（ＡＺＯ），フッ素をドーブした酸化ズズ（ＦＴＯ）などあります、今後の次世代太陽電池の生産量を考えると、希少金属のＩｎを使うＩＴＯではなく材利が安価な、ＡＺＯ，ＦＴＯに変わりつつあり、ＩＴＯ，ＦＴＯ，２層重ね性能を十分に引き出すために必要なＦＴＯ膜の研究され、知的財産特願２００４−２１２００８、２００５−５９５３４、九州工業大学、ネット公開が知られている、しかしながら仕用済みガラス表面ＩＴＯ幕を再利用しＩＴＯ膜の上から新しいＦＴＯ膜層を形成したものは開示されていない。
【先行技術文献】
【特許文献】
【０００５】
【特許文献１】特開２０１０−２１８７８８
【特許文献２】特開２００７−５１１８６６
【特許文献３】特開２００２−１２６１１５
【特許文献４】特開２００９−６２３０４
【非特許文献】
【０００６】
【非特許文献１】産総研：プレス、リリース新しい高効率色素増感太陽電池の開発、ダンデム型、２００８年３月４日発表
【考案の開示】
【考案が解決しようとする課題】
【０００７】
本考案は、テレビ用ブラウン管前面一体ガラスを再利用し、低コストで長期安定性に優る、ブラウン管を有効に改良しガラス内面になされている、透明電極、ＩＴＯ幕、皮膜を再生し、レオメタル類、酸化インジュウム、ブラウン管ガラス類などの材量を再利用し、効率を向上させる色素増感太陽電池セル枠を提供することである。
【課題を解決するための手段】
【０００８】
本考案は、テレビ用ブラウン管一体ガラス、ガラスの内側になされている、走査線の蛍光体などを薬品（硝酸）溶媒で除去する、または蛍光体を、レーザ光で焼き分解し溶媒で除去する、流し落とす、ＩＴＯ幕だけにし、ＩＴＯ幕表面にフッ素ドーブ酸化スズＦＴＯ幕をスプレーを用いて吹き付け熱分解反応により形成する、２種類の透明電極幕を、（ＩＴＯ，ＦＴＯ）を合わせることにより（酸化インジュウム、酸化スズを個溶する前は電気抵抗が１０-2オームになる、個溶すると１０-4になる、つまり電気伝導度にして１００倍に増えるのだ、このように固体中の自由電子の数が増え、原子価の異なる物質を混ぜて電気伝導度を増加させる方法は、原子価製御法とよぶ）、熱による電気抵抗を少なくできる透明電極の再生を可能にし、多接合の組み合わせ、集光性、電界層の耐久性に優れた、色素増感太陽電池用の一体セル枠。
【０００９】
一実旋形態において、ブラウン管内面の走査線、蛍光体をレーザ光線にて焼き分解し蛍光体を溶媒を使って除去する（薬品硝酸塩液）図２−（１）に示す。
【００１０】
一実旋形態において、ブラウン管内面のＩＴＯ幕だけを残し、次に中性洗剤を霧吹き、表面を、よく洗浄し次に乾燥後、アルコール液を含む布で、クリーニングする、図２−（２）に示す。
【００１１】
一実旋形態において、ブラウン管を400℃に加熱後、ガラス基板上のＩＴＯ幕上から、フッ素ドーブ酸化スズ（ＦＴＯ）の１００nmの薄幕を備えた、噴霧熱分解法によって得た図２-（３）に示す。
【００１２】
一実旋形態において、少なくとも、２種類、ＩＴＯ，ＦＴＯ幕、このようにＩＴＯ膜ＦＴＯ膜の順で交合に配置し形成でき凹凸の二層の透明電極層で、抵抗が少ない寿命が長い、透明電極幕を得た図２−（３）に示す、『酸化インジュウムは、酸化スズを固溶する前は電気抵抗が１０-2オームぐらいだが、固溶すると１０-4になる』（原子化の異なる物質を混ぜて電気伝導度を増加させる方法は原子化制御法と呼ぶ）。
【００１３】
従来の技術を用いて、形成する、モジュールセル枠構造のものがしられている、これらの技術は２枚の平面状板の間にスペーサ部分を設けシール材を接着剤で固める電解層が形成されている、従来の技術は、以下に限定されるものではないが、スピンコーティング法、スクリーン印刷、ＵＶ接着，スパッタリング、及びこれらの任意の組み合わせを含む、しかし液体電解質層には、電解液の漏れや蒸発、および色素の電解液への溶出による劣化などの問題があります、そこで本考案に基づくセル枠の製造方法では、電解層の窓枠内側にスペーサシール部分、外側メッシュ部分４面をガラス体で形成でき、図３凸型を示す、電解液を漏らさない、封止構造で、ガラス外枠セル構造の長期安定性に優れる、電解層を含む外観一体セル枠を提供することにある。
【００１４】
一実形態において、電解層、第一の電解層、凸形状のレンズ型層になり、窓枠の内側にスペーサ、シール楕円形のシリコン材を４面内側に張り合わせ、メッシュ、横側がガラスで形成でき、また上部分に開閉口を設けゴム、パッキンする、電解液の閉じ込む、封印できる、図３に示す。
【考案の効果】
【００１５】
ガラス表面が非球面凸面で、光線吸収が良く、透明電極の電気伝導度を増加させるＩＴＯ膜ＦＴＯ膜の二層の凹凸形で、多接合によりダンデム型電池の高効率用外枠に使用できる。
【図面の簡単な説明】
【００１６】
【図１】本考案による再生利用のブラウン管前面ガラス一体の上部分、多接合、複数重ねた模型図で組成を示している。
【図２】図２は、透明電極幕を成形する、手法、工程図を示している。
【図３】図３は、電解層の模型図を示している。
【図４】図４は、立体図を示している。
【図５】図５は、熱シート抵抗表を示している。
【考案を実施するための最良の形態】
【００１７】
ブラウン管ガラス一体前面ガラス枠を再利用し、ＩＴＯ，ＦＴＯ被膜を再生可能にしたブラウン管内部に、第１の光学補償層〔第一層は凸レンズ形〕と第２の光学積層体を重ねることによって、多接合、多重積層体の構成部分を一体かでき、またガラス一体の外観のため、電解層を４面体ガラスで形成でき液体を封じ込むことができる、図１に示す、色素増感太陽電池のセル枠を実現した。                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                                  
【実施例１】
【００１８】
実施例に基ずいて説明するが、考案はこれらの実施例に限定するものでわない。
【００１９】
厚みを有するガラス基盤（ブラウン管）を400℃に加熱後ＩＴＯ幕上から、フッ素ドーブ酸化スズ（ＦＴＯ）の１００nmの薄幕を備えた、噴霧熱分解法を用い時間を調整し成幕後20℃２０分で除冷した、透明電極基盤の被膜をＩＴＯ膜ＦＴＯ膜の順で交合に、配布凹凸に成膜  した。
【００２０】
電解層を、ガラス外枠一体であるため、電解層窓枠内面をスペーサシール材で貼り付け、楕円形凸型で４面ガラスの電解層を得た、また電解液の閉じ込み、封印を可能にした。                                                                                                                                                                                                
【産業上の利用可能性】
【００２１】
本考案は、再利用できるブラウン管ガラス、ＩＴＯ幕類、再生により安全性、耐久性、があり、色素増感太陽電池の外枠に利用でき、ソーラパネルと同様、壁面、部屋内、屋上、屋根、船、取り付け可能。
【符号の説明】
【００２２】
１、透明導電極膜、ＩＴＯ，ＦＴＯ，負荷    
２、酸化チタン微結晶均一層膜    
３、増感色素    
４、電解液層    
５、透明電極、両面ＦＴＯ膜  
６、ガラス
７、スペーサ    
８、対向電極膜、白金背面電極、反射層、正極  
９、注入口、開閉部分ゴムパッキン
【図１】
0003173779.tif 000003
【図２】
0003173779.tif 000004
【図３】
0003173779.tif 000005
【図４】
0003173779.tif 000006
【図５】
0003173779.tif 000007
【手続補正書】
【提出日】平成23年12月13日(2011.12.13)
【手続補正１】
【補正対象書類名】実用新案登録請求の範囲
【補正対象項目名】全文
【補正方法】変更
【補正の内容】
【実用新案登録請求の範囲】
【請求項１】
ブラウン管用一体前面ガラスを再利用し内面の透明電極とスパッタリングＩＴＯ膜をスプレー塗布により再生できる光学積層体を構成する第一の光学補助層と第二の光学積層体を重ねる多重積層体からなり、多接合は分光特性の異なる太陽電池を複数重ねたことを特徴とする色素増感太陽電池用セル枠。
【請求項２】
前記ブラウン管用一体前面ガラスの内面のＩＴＯ膜の抵抗は５００オーム以下で、ＩＴＯ膜とＦＴＯ膜のシート抵抗値が５オーム以下であり、ＩＴＯ膜表面にフッ素ドーブ酸化スズを噴霧熱分解法により形成するＦＴＯ膜とＩＴＯ膜の順で、交互に透明電極を配置したことを特徴とする請求項１記載の色素増感太陽電池用セル枠。
【請求項３】
ブラウン管用一体前面ガラス内に重ねる第一セル層と第二セル層の電界液層をガラス４面で形成して電界液を封印し電解液の開閉口を設けたことを特徴とする請求項１記載の色素増感太陽電池用セル枠。